(57)【要約】【課題】本願発明は、店舗部分が容易に地上に配置可能である構造を有する移動販売車を提供する。【解決手段】この発明の移動販売車は、軽貨物自動車の荷台に所定の空間を画成する荷台ハウジングと、該荷台ハウジング内に収納される販売台と、該荷台ハウジングの一方の側面を開閉すると共に、開扉時に販売台の屋根を形成する扉部とを少なくとも具備する移動販売車において、前記販売台は、前記荷台ハウジングの扉部によって開閉される開口部の両端部近傍の荷台に回動支点を有する一対のアーム部と、該一対のアーム部によって両側が保持され、地表から前記アーム部までの高さを有する販売台本体とによって少なくとも構成される。【選択図】  図２
2008279892.tif 000002
【特許請求の範囲】
【請求項１】
軽貨物自動車の荷台に所定の空間を画成する荷台ハウジングと、該荷台ハウジング内に収納される販売台と、該荷台ハウジングの一方の側面を開閉すると共に、開扉時に販売台の屋根を形成する扉部とを少なくとも具備する移動販売車において、
前記販売台は、前記荷台ハウジングの扉部によって開閉される開口部の両端部近傍の荷台に回動支点を有する一対のアーム部と、該一対のアーム部によって両側が保持され、前記地表から前記アーム部までの高さを有する販売台本体とによって少なくとも構成されることを特徴とする移動販売車。
【請求項２】
前記一対のアーム部の回動支点近傍の異なる地点と前記販売台本体とを連通するショックアブソーバが設けられることを特徴とする請求項１記載の移動販売車。
【発明の詳細な説明】
【技術分野】
【０００１】
この発明は、小型貨物自動車又は軽貨物自動車などの移動体に積載され、所定の場所に移動した後、店舗部分を荷台部分から引き出して組み立てて店舗として、いろいろなものの販売を行うことのできる移動販売車に関する。
【背景技術】
【０００２】
特許文献１は、少なくとも周囲壁で形成され且つ移動体位固定された上部開放の下部筺体の外側に入れ子状に組み合わされ、下部筺体に対して上下動可能な点状付の上部筺体と、これを上下動する昇降機構とからなり、昇降機構が少なくとも一組の巻き上げ装置から構成され、これが下部筺体又は移動体に回転可能に支持された一本の巻取り軸と、下部筺体の上部に取り付けられたベルト支持部と、巻取り軸に一端が接続され、他端がベルト支持部を介してその近傍の上部筺体の下端に固定されたベルトとから構成されている。
【０００３】
特許文献２は、箱型車体の荷台より一側方向には、該箱型車体の箱型本体と連通状態に、底面開放の内箱型調理囲いの底縁と地上との空間を塞ぐ遮蔽板を昇降乃至擺動可能に設け、箱型車体の商品提供台が臨む他側方向の軒部には、天板７を伸縮支持枠を介してスライド自在に引き出し又は格納可能に設け、箱型車体の天井部を照明空間に形成して該天井部の側面を照明広告板とした屋台車の構造を提供する。
【０００４】
特許文献３は、荷箱本体のルーフ部を昇降させる昇降機構を設け、この昇降機構によりルーフ部を上昇させることで、荷箱本体内で立ち姿勢で作業を行える移動販売車であって、左右両側壁の少なくともいずれか一方の側壁を開閉可能に設け、昇降機構によりルーフ部を上方に移動し且つ側壁を開いたとき作業車と顧客との間の視界を遮る部材が介在しないように構成したことを開示する。
【特許文献１】特開２０００−２８９５１８号公報
【特許文献２】特開２００１−６３４４８号公報
【特許文献３】特開２００４−９７６２号公報
【発明の開示】
【発明が解決しようとする課題】
【０００５】
従来の移動販売車は、小型貨物自動車の荷台に店舗部分を設置し、商品を販売するものであるが、トラック型の軽自動車、いわゆる軽貨物自動車の荷台に積載する店舗部分の高さは道路運送車両法によって地上から２．０ｍ以下に制限されている。このため、特許文献１には、現地に到着した後に、入れ子状に配置された下部筺体と上部筺体とによって店舗部分を形成し、上部筺体を上昇させて室内空間を大きくすることが提案されている。同様に、特許文献３には、荷箱本体のルーフ部を昇降させる昇降機構を設け、この昇降機構によりルーフ部を上昇させることで、荷箱本体内で立ち姿勢で作業を行えるようにすることが提案されている。
【０００６】
しかしながら、荷台上に立って作業する場合、販売者の位置が購入者よりも高くなるため、購入者に対して腰を折る姿勢で接客しなければならないという不具合があり、また購入者の目線が高くなるという不具合がある。
【０００７】
このため、特許文献２に記載されるように、調理空間が荷台から横方向にスライドして延出すると共に、荷台と地面との落差空間も調理空間とすることができるような構造が望ましいが、スライド構造が複雑であると共に、スライド構造に所定の強度を持たせることが非常に難しいという問題点がある。
【０００８】
以上のことから、本願発明は、店舗部分が容易に地上に配置可能である構造を有する移動販売車を提供することにある。
【課題を解決するための手段】
【０００９】
したがって、この発明の移動販売車は、軽貨物自動車の荷台に所定の空間を画成する荷台ハウジングと、該荷台ハウジング内に収納される販売台と、該荷台ハウジングの一方の側面を開閉すると共に、開扉時に販売台の屋根を形成する扉部とを少なくとも具備する移動販売車において、前記販売台は、前記荷台ハウジングの扉部によって開閉される開口部の両端部近傍の荷台に回動支点を有する一対のアーム部と、該一対のアーム部によって両側が保持され、地表から前記アーム部までの高さを有する販売台本体とによって少なくとも構成されることにある。
【００１０】
また、前記一対のアーム部の回動支点近傍の異なる地点と前記販売台本体とを連通するショックアブソーバが設けられることが望ましい。さらに、販売台の収納位置及び設置位置においてショックアブソーバが圧縮状態となるように、ショックアブソーバを設定することが望ましい。
【発明の効果】
【００１１】
本願発明の移動販売車によれば、荷台ハウジングの扉部を開くと共に、販売台を引くことによって、販売台はアーム部の回動支点を中心に回転して地表に設置することができるため、一回の動作で販売台の設置が可能となるという効果がある。また、スライド部分を有しないため、アーム部分の強度を心配する必要がなくなるという効果もある。
【００１２】
さらに、回動支点の異なるショックアブソーバを設けることによって、販売台の設置における衝撃を吸収することができるという効果がある。また、回動支点を相違させることによって、販売台の収納位置及び設置位置においてショックアブソーバが圧縮状態となることから、販売台の引き出し初め及び収納初めにおける負荷を軽減することができるため、販売台の収納及び設置作業を労力を軽減できるものである。
【発明を実施するための最良の形態】
【００１３】
以下、この発明の実施例について図面により説明する。
【実施例】
【００１４】
本願発明に係る移動販売車１は、例えば図１及び図２に示すように、軽貨物自動車２と、この軽貨物自動車２の荷台３に設けられた荷台ハウジング４とを具備する。また、前記荷台ハウジング４は、軽貨物自動車２の荷台３に所定の収納空間５を画成する。この収納空間５には、販売台６が収納される。さらに、前記荷台ハウジング４には、この荷台ハウジング４の一方の側面に形成された開口部７を開閉すると共に、前記販売台６の屋根となる開閉扉部８が設けられる。
【００１５】
前記販売台６は、図３に示すように、前記荷台ハウジング４の扉部８によって開閉される開口部７の両端部近傍の荷台３に回動支点１０を有する一対のアーム部９と、この一対のアーム部９によって両側が保持され、前記地表から前記アーム部９までの高さを有する販売台本体１１とによって少なくとも構成される。尚、図２に示すように、販売台６は、販売台本体１１と屋根となっている扉部８との間に、窓枠等となる側面枠体１２が装着されて形成される。
【００１６】
また、前記販売台本体１１には、前記アーム部９の回動支点１０と異なる回動支点１４を有するショックアブソーバ１３が設けられ、販売台本体１１の移動時の衝撃を吸収するようになっている。このショックアブソーバ１３は、基本的に空気等の緩衝材が内方されたシリンダと、このシリンダ内に挿入されたピストンとによって基本的に構成される。具体的には、荷台３の床部３Ａの固定されたブラケット２０が設けられ、このブラケット２０のアーム用保持プレート２１に前記取付金具２５を介してアーム部９が回動自在にボルト等によって取り付けられ、さらに前記ショックアブソーバ用保持プレート２３に、前記ショックアブソーバ１３の一端がボルト等によって回動自在に取り付けられる。尚、前記アーム用保持プレート２１は、ショックアブソーバ用保持プレート２３よりも高く形成され、アーム部９の回動支点となるアーム固定孔２２と、ショックアブソーバ１３の回動支点となるショックアブソーバ用固定孔２４とが異なる位置となるように形成されている。
【００１７】
このような構造において、前記アーム部９の回動に伴ってショックアブソーバ１３も回動するが、回動支点が異なることから、販売台本体１１の位置によってショックアブソーバ１３の両端の固定部分の距離は異なるため、ショックアブソーバ１３のピストンが急激に変化しないようにシリンダ内の緩衝材が働くものである。また、前記回動支点が異なることから、販売台本体１１の収納時及び設置時において、販売台本体１１の荷重を受けてショックアブソーバ１３が圧縮された状態となることから、販売台本体１１の引き出し作業及び持ち上げ作業時において、販売台本体１１の自重の軽減を行うことができるものである。
【００１８】
このような構造において、販売台本体１１を荷台ハウジング４から１つの動作によって容易に引き出すことができるので、販売台６の設置を容易に行うことが可能となり、前記販売台本体１１の収納時においても１つの動作で簡単に収納できるものである。
【図面の簡単な説明】
【００１９】
【図１】本願発明の係る移動販売車の販売台本体を収納した状態を示した説明図である。
【図２】本願発明の係る移動販売車の販売台本体が引き出され、販売台が設置された状態を示した説明図である。
【図３】前記販売台本体移動状態を示した説明図である。
【図４】（ａ）ブラケットの構造を示した側面図であり、（ｂ）はその正面図である。
【符号の説明】
【００２０】
１  移動販売車
２  軽貨物自動車
３  荷台
４  荷台ハウジング
５  収納空間
６  販売台
７  開口部
８  開閉扉部
９  アーム部
１０  回動支点
１１  販売台本体
１２  側面枠体
１３  ショックアブソーバ
１４  回動支点
２０  ブラケット
【図１】
2008279892.tif 000003
【図２】
2008279892.tif 000004
【図３】
2008279892.tif 000005
【図４】
2008279892.tif 000006